(57)【要約】【課題】  複数の濾過手段を持ちながら、出口側で流体が１通路で流出できる流体用スクリーンチェンジャを提供する。【解決手段】  複数の流体用の濾過手段が流体の流れの方向に配置され、上流側濾過手段の出口が下流側濾過手段の入口に接続され、上流側濾過手段には、主通路とは別に、切換可能な１または複数の副通路を有するものである。前記に加え、下流側濾過手段には、主通路とは別に、切換可能な１または複数の副通路を有してもよい。また、上流側濾過手段には、主通路とは別に、切換可能な１または複数の副通路を有し、上流側濾過手段の１または複数は可動体の中に装備されているものである。【選択図】        図２ａ
2009119422.tif 000002
【特許請求の範囲】
【請求項１】
複数の流体用の濾過手段が流体の流れの方向に配置され、上流側濾過手段の出口が下流側濾過手段の入口に接続され、上流側濾過手段には、主通路とは別に、切換可能な１または複数の副通路を有する流体用スクリーンチェンジャ。
【請求項２】
複数の流体用の濾過手段が流体の流れの方向に配置され、上流側濾過手段の出口が下流側濾過手段の入口に接続され、上流側濾過手段には、主通路とは別に、切換可能な１または複数の副通路を有し、上流側濾過手段の１または複数は可動体の中に装備されている流体用スクリーンチェンジャ。
【請求項３】
可動棒が回動または摺動できるよう案内する可動棒孔を有するケーシング本体と、
前記可動棒孔に可動自在に挿入され、可動通路を外円周面に貫通して持ち、流路入口方向に並列した複数本の可動棒と、
該可動棒の各々の一端に結合された可動駆動軸と、
前記可動通路に挿入された濾過手段と、
前記ケーシング本体に設けられ、前記可動通路に連通するように、外面から上流側可動通路に至る入口主通路と、下流側可動通路から外面に至る出口主通路と、それらの間に連通する中間通路と、
前記可動通路に対しバイパスとなるようにケーシング本体に設けられた副通路と、
前記入口主通路と副通路との分岐点および前記中間通路と副通路との交差点に各々設けられた切換弁と、
を含む流体用スクリーンチェンジャ。
【請求項４】
可動棒が回動または摺動できるよう案内する可動棒孔を上流側に有し、濾過手段を着脱自在に定置して固定通路を構成する定置穴を下流側に有するケーシング本体と、
前記可動棒孔に可動自在に挿入され、可動通路を外円周面に貫通して持った可動棒と、  該可動棒の一端に結合された可動駆動軸と、
前記可動通路および定置穴に挿入された濾過手段と、
前記ケーシング本体に設けられ、前記可動通路に連通するように、外面から上流側可動通路に至る入口主通路と、下流側固定通路から外面に至る出口主通路と、それらの間に連通する中間通路と、
前記可動通路および固定通路に対しバイパスとなるように設けられた副通路と、
前記入口主通路と副通路との分岐点および前記中間通路と副通路との交差点に各々設けられた切換弁と、
を含む流体用スクリーンチェンジャ。
【請求項５】
濾過手段を着脱自在に定置して固定通路を構成する定置穴を上流側および下流側に有するケーシング本体と、
前記定置穴に挿入された濾過手段と、
前記ケーシング本体に設けられ、前記上流側固定通路に連通するように、外面から上流側固定通路に至る入口主通路と、下流側固定通路から外面に至る出口主通路と、それらの間に連通する中間通路と、
前記固定通路に対しバイパスとなるように設けられた副通路と、
前記入口主通路と副通路との分岐点および前記中間通路と副通路との交差点に各々設けられた切換弁と、
を含む流体用スクリーンチェンジャ。
【請求項６】
可動棒が回動または摺動できるよう案内する可動棒孔を有するケーシング本体と、
前記可動棒孔に可動自在に挿入され、可動通路を外円周面に貫通して持ち、流路入口方向に関し並列した複数本の可動棒と、
該可動棒の各々の一端に結合された可動駆動軸と、
前記可動通路に挿入された濾過手段と、
前記ケーシング本体に設けられ、前記可動通路に連通するように、外面から上流側可動通路に至る入口主通路と、下流側可動通路から外面に至る出口主通路と、それらの間に連通する中間通路と、
前記上流側可動通路に対しバイパスとなるようケーシング本体に設けられた副通路と、  前記入口主通路と副通路との分岐点に設けられた切換弁と、
を含む流体用スクリーンチェンジャ。
【請求項７】
可動棒が回動または摺動できるよう案内する可動棒孔を上流側に有し、濾過手段を着脱自在に定置して固定通路を構成する定置穴を下流側に有するケーシング本体と、
前記可動棒孔に可動自在に挿入され、可動通路を外円周面に貫通して持った可動棒と、  該可動棒の一端に結合された可動駆動軸と、
前記可動通路および定置穴に挿入された濾過手段と、
前記ケーシング本体に設けられ、前記可動通路に連通するように、外面から上流側可動通路に至る入口主通路と、下流側固定通路から外面に至る出口主通路と、それらの間に連通する中間通路と、
前記可動通路に対しバイパスとなるように設けられた副通路と、
前記入口主通路と副通路との分岐点に設けられた切換弁と、
を含む流体用スクリーンチェンジャ。
【請求項８】
濾過手段を着脱自在に定置して固定通路を構成する定置穴を上流側および下流側に有するケーシング本体と、
前記定置穴に挿入された濾過手段と、
前記ケーシング本体に設けられ、前記上流側固定通路に連通するように、外面から上流側固定通路に至る入口主通路と、下流側固定通路から外面に至る出口主通路と、それらの間に連通する中間通路と、
前記上流側固定通路に対しバイパスとなるように設けられた副通路と、
前記入口主通路と副通路との分岐点に設けられた切換弁と、
を含む流体用スクリーンチェンジャ。
【請求項９】
可動棒が回動または摺動できるよう案内する可動棒孔を有するケーシング本体と、
前記可動棒孔に可動自在に挿入され、可動通路を外円周面に貫通して持ち、流路入口方向に並列した複数本の可動棒と、流路入口直交方向に並列した複数本の可動棒と、
該可動棒の各々の一端に結合された可動駆動軸と、
前記可動通路に挿入された濾過手段と、
前記ケーシング本体に設けられ、前記可動通路に連通するように、外面から上流側可動通路に至る入口主通路と、下流側可動通路から外面に至る出口主通路と、それらの間に連通する中間通路と、
前記可動通路に対しバイパスとなるように設けられた副通路と、
前記入口主通路と副通路との分岐点および前記中間通路と副通路との交差点に各々設けられた切換弁と、
を含む流体用スクリーンチェンジャ。
【請求項１０】
可動棒が回動または摺動できるよう案内する可動棒孔を上流側に有し、濾過手段を着脱自在に定置して固定通路を構成する定置穴を下流側に有するケーシング本体と、
前記可動棒孔に可動自在に挿入され、可動通路を外円周面に貫通して持ち、流路入口直交方向に並列した複数本の可動棒と、
該可動棒の一端に結合された可動駆動軸と、
前記可動通路および定置穴に挿入された濾過手段と、
前記ケーシング本体に設けられ、前記可動通路に連通するように、外面から上流側可動通路に至る入口主通路と、下流側固定通路から外面に至る出口主通路と、それらの間に連通する中間通路と、
前記可動通路および固定通路に対しバイパスとなるように設けられた副通路と、
前記入口主通路と副通路との分岐点および前記中間通路と副通路との交差点に各々設けられた切換弁と、
を含む流体用スクリーンチェンジャ。
【請求項１１】
可動棒が回動または摺動できるよう案内する可動棒孔を有するケーシング本体と、
前記可動棒孔に可動自在に挿入され、可動通路を外円周面に貫通して持ち、流路入口方向に関し並列した複数本の可動棒と、
該可動棒の各々の一端に結合された可動駆動軸と、
前記可動通路に挿入された濾過手段と、
前記ケーシング本体に設けられ、前記可動通路に連通するように、外面から上流側可動通路に至る入口主通路と、下流側可動通路から外面に至る出口主通路と、それらの間に連通する中間通路と、
前記可動通路に対しバイパスとなるように可動棒に設けられた副通路と、
を含む流体用スクリーンチェンジャ。
【請求項１２】
可動棒が回動または摺動できるよう案内する可動棒孔を上流側に有し、濾過手段を着脱自在に定置して固定通路を構成する定置穴を下流側に有するケーシング本体と、
前記可動棒孔に可動自在に挿入され、可動通路を外円周面に貫通して持った可動棒と、  該可動棒の一端に結合された可動駆動軸と、
前記可動通路および定置穴に挿入された濾過手段と、
前記ケーシング本体に設けられ、前記可動通路に連通するように、外面から上流側可動通路に至る入口主通路と、下流側固定通路から外面に至る出口主通路と、それらの間に連通する中間通路と、
前記可動通路に対しバイパスとなるように可動棒に設けられた副通路と、
前記固定通路に対しバイパスとなるようにケーシング本体設けられた副通路と、
前記中間通路と副通路との交差点に各々設けられた切換弁と、
を含む流体用スクリーンチェンジャ。
【請求項１３】
可動棒が回動または摺動できるよう案内する可動棒孔を有するケーシング本体と、
前記可動棒孔に可動自在に挿入され、可動通路を外円周面に貫通して持ち、流路入口方向に関し並列した複数本の可動棒と、
該可動棒の各々の一端に結合された可動駆動軸と、
前記可動通路に挿入された濾過手段と、
前記ケーシング本体に設けられ、前記可動通路に連通するように、外面から上流側可動通路に至る入口主通路と、下流側可動通路から外面に至る出口主通路と、それらの間に連通する中間通路と、
前記上流側可動通路に対しバイパスとなるよう可動棒に設けられた副通路と、
を含む流体用スクリーンチェンジャ。
【請求項１４】
可動棒が回動または摺動できるよう案内する可動棒孔を上流側に有し、濾過手段を着脱自在に定置して固定通路を構成する定置穴を下流側に有するケーシング本体と、
前記可動棒孔に可動自在に挿入され、可動通路を外円周面に貫通して持った可動棒と、  該可動棒の一端に結合された可動駆動軸と、
前記可動通路および定置穴に挿入された濾過手段と、
前記ケーシング本体に設けられ、前記可動通路に連通するように、外面から上流側可動通路に至る入口主通路と、下流側固定通路から外面に至る出口主通路と、それらの間に連通する中間通路と、
前記可動通路に対しバイパスとなるように可動棒に設けられた副通路と、
を含む流体用スクリーンチェンジャ。
【請求項１５】
可動棒が回動または摺動できるよう案内する可動棒孔を有するケーシング本体と、
前記可動棒孔に可動自在に挿入され、可動通路を外円周面に貫通して持ち、流路入口方向に並列した複数本の可動棒と、流路入口直交方向に並列した複数本の可動棒と、
該可動棒の各々の一端に結合された可動駆動軸と、
前記可動通路に挿入された濾過手段と、
前記ケーシング本体に設けられ、前記可動通路に連通するように、外面から上流側可動通路に至る入口主通路と、下流側可動通路から外面に至る出口主通路と、それらの間に連通する中間通路と、
前記可動通路に対しバイパスとなるように可動棒設けられた副通路と、
を含む流体用スクリーンチェンジャ。
【請求項１６】
可動棒が回動または摺動動できるよう案内する可動棒孔を上流側に有し、濾過手段を着脱自在に定置して固定通路を構成する定置穴を下流側に有するケーシング本体と、
前記可動棒孔に可動自在に挿入され、可動通路を外円周面に貫通して持ち、流路入口直交方向に並列した複数本の可動棒と、
該可動棒の一端に結合された可動駆動軸と、
前記可動通路および定置穴に挿入された濾過手段と、
前記ケーシング本体に設けられ、前記可動通路に連通するように、外面から上流側可動通路に至る入口主通路と、下流側固定通路から外面に至る出口主通路と、それらの間に連通する中間通路と、
前記可動通路に対しバイパスとなるように可動棒設けられた副通路と、
前記固定通路に対しバイパスとなるようにケーシング本体設けられた副通路と、
前記中間通路と副通路との交差点に各々設けられた切換弁と、
を含む流体用スクリーンチェンジャ。
【請求項１７】
可動棒が回動または摺動できるよう案内する可動棒孔を有するケーシング本体と、
前記可動棒孔に可動自在に挿入され、可動通路を外円周面に貫通して持ち、流路入口方向に並列した複数本の可動棒と、
該可動棒の各々の一端に結合された可動駆動軸と、
前記可動通路に挿入された濾過手段と、
前記可動棒孔の隣り合う２個の孔の間でケーシング本体に、一体または別体に設けられたギヤポンプと、
前記ケーシング本体に設けられ、前記可動通路に連通するように、外面から上流側可動通路に至る入口主通路と、下流側可動通路から外面に至る出口主通路と、それらの間に
前記ギヤポンプを介して連通する中間主通路と、
前記可動通路に対しバイパスとなるようにケーシング本体に設けられた副通路と、
前記入口主通路と副通路との分岐点および前記中間主通路の前記ギヤポンプ入口側と副通路との交差点に各々設けられた三方切換弁と、
前記中間主通路の前記ギヤポンプ出口側と副通路との分岐点に設けられた三方切換弁とを含む流体用スクリーンチェンジャ。
【請求項１８】
可動棒が回動または摺動できるよう案内する可動棒孔を有するケーシング本体と、
前記可動棒孔に可動自在に挿入され、可動通路を外円周面に貫通して持ち、流路入口方向に並列した複数本の可動棒と、
該可動棒の各々の一端に結合された可動駆動軸と、
前記可動通路に挿入された濾過手段と、
前記可動棒孔の隣り合う２個の孔の間でケーシング本体に、一体または別体に設けられたギヤポンプと、
前記ケーシング本体に設けられ、前記可動通路に連通するように、外面から上流側可動通路に至る入口主通路と、下流側可動通路から外面に至る出口主通路と、それらの間に
前記ギヤポンプを介して連通する中間主通路と、
前記上流側可動通路に対しバイパスとなるようにケーシング本体に設けられた副通路と、
前記ギヤポンプに対しバイパスとなるようにケーシング本体に設けられ、前記副通路に連通した第２副通路と、
前記入口主通路と副通路との分岐点、前記中間主通路の前記ギヤポンプ入口側と副通路との交差点および前記中間主通路の前記ギヤポンプ出口側と第２副通路との交差点にに各々設けられた三方切換弁とを含む流体用スクリーンチェンジャ。
【請求項１９】
前記三方弁のうちの、上流側可動通路の入口および下流側可動通路の入口のものには、流体をケーシング本体の外部に排出する排出路が設けられ、該排出路に通じるよう前記ケーシング本体には、流体を外部に排出する排出路が設けられた請求項１７記載の流体用スクリーンチェンジャ。
【請求項２０】
前記三方弁のうちの、上流側可動通路の入口のものには、流体をケーシング本体の外部に排出する排出路が設けられ、該排出路に通じるよう前記ケーシング本体には、流体を外部に排出する排出路が設けられた１８記載の流体用スクリーンチェンジャ。
【請求項２１】
前記三方弁において上流側可動通路の入口および下流側可動通路の入口のものには、流体をケーシング本体の外部に排出する排出路が設けられ、該排出路に通じるよう前記ケーシング本体には、流体を外部に排出する排出路が設けられた請求項３ないし１０のいずれか１に記載の流体用スクリーンチェンジャ。
【請求項２２】
前記副通路の少なくとも上流側のものに設けられた濾過手段とを含む前記いずれかの請求項の１に記載の流体用スクリーンチェンジャ。
【発明の詳細な説明】
【技術分野】
【０００１】
本発明は、例えば溶融プラスチックなどの流体用スクリーンチェンジャに関するものである。
【背景技術】
【０００２】
本出願人が先に開発し特許権を取得したものは次のようなものである。（特許文献、特許第３８０６７６７号公報）、即ち、並列した２本の回動棒式の連続式スクリーンチェンジャのである。流体はケーシング入口から入り分流部を経て２つの流れに別れる。そして、２本の回動棒の各々のスクリーンを通り、流体中の不純物を除去して、再び合流部で１つの流れとなり次行程に至る。
【０００３】
スクリーンが目詰まりした場合、一方の回動棒を９０度回動させ、流体の入口出口を遮断して、蓋を取り外してスクリーンの交換を行う。このとき、他方の回動棒の濾過手段には流れの全量が流入し、濾過された流体が次行程に至り、生産ラインを止めることはない。この交換作業を交互に繰り返して、長期間にわたり生産ラインを止めずに濾過作業を続けることができる。
【特許文献１】特許第３８０６７６７号公報
【発明の開示】
【発明が解決しようとする課題】
【０００４】
しかしながら上記の従来技術では、次のような諸問題が発生する場合があった。即ち、スクリーン交換時に分流されていた流体が１通路に集中するため、管路抵抗が増大して入口部の圧力が増加し、上流の押出機，ギヤポンプ等に動力不足などを起こす場合がある。生産運転中は出口合流部で２つの流れが均等に合流していたが、スクリーン交換時は１つの流れとなり、これが偏流となって次行程の例えばダイへの流入不均一となり、製品精度・寸法に悪影響を及ぼす。出口合流部では２つの流れによる合流マーク（メモリーラインとも言う）が発生する場合もある。しかも、分流通路，合流通路等など流体通路が複雑なため、流体の種類替え，色替え等に時間がかかっていた。
【０００５】
本発明は上記解決を解決し、複数の濾過手段を持ちながら、出口側で流体が１通路で流出できる流体用スクリーンチェンジャを提供することを目的とする。
【課題を解決するための手段】
【０００６】
本発明の課題解決手段は、複数の流体用の濾過手段が流体の流れの方向に配置され、上流側濾過手段の出口が下流側濾過手段の入口に接続され、上流側濾過手段には、主通路とは別に、切換可能な１または複数の副通路を有するものである。前記に加え、下流側濾過手段には、主通路とは別に、切換可能な１または複数の副通路を有してもよい。
【０００７】
また、他の課題解決手段は、複数の流体用の濾過手段が流体の流れの方向に配置され、上流側濾過手段の出口が下流側濾過手段の入口に接続され、上流側濾過手段には、主通路とは別に、切換可能な１または複数の副通路を有し、上流側濾過手段の１または複数は可動体の中に装備されているものである。
【０００８】
また、本発明は以下のように種々の実施形態を含む。
第１は、可動棒が回動または摺動できるよう案内する可動棒孔を有するケーシング本体と、前記可動棒孔に可動自在に挿入され、可動通路を外円周面に貫通して持ち、流路入口方向に並列した複数本の可動棒と、該可動棒の各々の一端に結合された可動駆動軸と、前記可動通路に挿入された濾過手段とを備える。前記ケーシング本体に設けられ、前記可動通路に連通するように、外面から上流側可動通路に至る入口主通路と、下流側可動通路から外面に至る出口主通路と、それらの間に連通する中間通路とを備える。前記可動通路に対しバイパスとなるようにケーシング本体に設けられた副通路と、前記入口主通路と副通路との分岐点および前記中間通路と副通路との交差点に各々設けられた切換弁とを備える。
【０００９】
第２は、可動棒が回動または摺動できるよう案内する可動棒孔を上流側に有し、濾過手段を着脱自在に定置して固定通路を構成する定置穴を下流側に有するケーシング本体と、前記可動棒孔に可動自在に挿入され、可動通路を外円周面に貫通して持った可動棒と、該可動棒の一端に結合された可動駆動軸と、  前記可動通路および定置穴に挿入された濾過手段とを備える。前記ケーシング本体に設けられ、前記可動通路に連通するように、外面から上流側可動通路に至る入口主通路と、下流側固定通路から外面に至る出口主通路と、それらの間に連通する中間通路とを備える。前記可動通路および固定通路に対しバイパスとなるように設けられた副通路と、前記入口主通路と副通路との分岐点および前記中間通路と副通路との交差点に各々設けられた切換弁とを備える。
【００１０】
第３は、濾過手段を着脱自在に定置して固定通路を構成する定置穴を上流側および下流側に有するケーシング本体と、前記定置穴に挿入された濾過手段とを備える。前記ケーシング本体に設けられ、前記上流側固定通路に連通するように、外面から上流側固定通路に至る入口主通路と、下流側固定通路から外面に至る出口主通路と、それらの間に連通する中間通路とを備える。前記固定通路に対しバイパスとなるように設けられた副通路と、前記入口主通路と副通路との分岐点および前記中間通路と副通路との交差点に各々設けられた切換弁とを備える。
【００１１】
前記第１ないし第３において、下流側濾過手段に対して副通路と切換弁が省略されたものである。第１および第２において、流路入口直交方向に並列した複数本の可動棒と、前記可動通路に対しバイパスとなるように設けられた副通路と、切換弁とを備えるものである。
【００１２】
また、前記副通路と切換弁に代えて、可動棒の濾過手段が挿入された可動通路に対して、位相差を付けて副通路を設けてもよい。上流側濾過手段と下流側濾過手段との間にギヤポンプが設けられてもよい。前記三方弁には、流体をケーシング本体の外部に排出する排出路が設けられ、該排出路に通じるよう前記ケーシング本体には、流体を外部に排出する排出路が設けられたものでもよい。前記副通路の少なくとも上流側のものに濾過手段が設けられてもよい。
【発明の効果】
【００１３】
本発明の流体用スクリーンチェンジャにより、複数の濾過手段を持ちながら、出口側で流体が１通路で流出できることとなった。これによって、前記の従来技術の問題点が解消されたのである。
【発明を実施するための最良の形態】
【００１４】
以下に本発明の実施態様を図面に示す一実施例にもとづき説明する。
図１において、ケーシング本体１０は外形が正面視で横長矩形，側面視で矩形（大略正方形），平面視で横長矩形をなした鋼のブロック状である。そして、後記回動棒２がその軸線回りに回動できるよう案内するよう、円筒形の回動棒孔１５，１５が左右方向中心線上で、前後に貫通した２カ所に平行に設けられる。
【００１５】
該ケーシング本体１０には、一方外面（図示右面）から前記回動棒孔１５を連通して他方外面（図示左面）に開口するように、入口主通路１１，中間主通路１３，出口主通路１２が設けられる。図示の右側が流体の上流側、左側が流体の下流側となる。
【００１６】
図２ａにおいて、前記回動棒孔１５には、流体入口方向に並列した２本の円柱形の回動棒２，２が回動自在に挿入され、各回動棒２は直径方向に貫通する１個の可動通路２ａを持つ。前記可動通路に濾過筒とスクリーンからなる濾過手段２０が挿入される。
【００１７】
図２ａで前記ケーシング本体１０において、前記可動通路２ａ，２ａに対しバイパス路となるように、上下に偏位した位置に（上流側は下側、下流側は上側）、副通路１４，１４が設けられる。そして、入口主通路１１と副通路１４との分岐点および中間主通路１３と副通路１４との交差点に、各々三方切り換え弁７が設けられる。なお、１４ａは副通路１４を開けた後に、その端部に設けられた栓である。
【００１８】
図２ａ，３ａ，３ｃで、三方切り換え弁７は次のように構成される。円柱弁本体７ａにＴ字に貫通する弁口７ｂが開けられ、円柱弁本体７ａがケーシング本体１０の後面から回動自在に挿入される。円柱弁本体７ａの後端に形成された回動軸７ｃがケーシングカバー１０ｂを貫通して後面に突出し、その端部に回動ハンドル７ｄが固定される。
【００１９】
図１ｂ，１ｃで、前記回動棒孔１５の両端で、ケーシング本体１０の前後に一対のケーシングカバー１０ａ，１０ｂが取り付けられる。後カバー１０ｂを貫通した回動棒２の可動駆動軸５に回動手段６が接続される。図３ｂで、回動手段６において、可動駆動軸５にギヤ６ａが固定され、これにかみ合うピニオン６ｂが支軸６ｃに固定される。支軸６ｃは後カバー１０ｂに回転自在に支持され、その先端に回動ハンドル６ｄが取り付けられる。
【００２０】
図４において、有底濾過筒２０は底側を可動通路２ａの入口側大径側に位置し、可動通路２ａの出口から交換可能にはめ込まれる。補強多孔筒２１は直円筒（またはテーパ円筒）を呈し、その外周（または内周，中間）に円筒スクリーン２２が装着される。補強多孔筒２１の一端にネジで取り付けられた底部材２３は、外側中央が外側に凸となっている。案内部材２４は底部材２３の内側の軸線上に突設された先細テーパ棒状を呈する。フランジ部材２５は多孔筒の開口側に設けられた円環状を呈し、ケーシング本体１０の内面に対向する部分は円柱回動棒の外周面に面一となる円筒面を持つ。
【００２１】
図２ａで、回動棒２の可動通路２ａは、通常運転で入口側が広いテーパ孔（又は直円筒孔）となる。その中に有底濾過筒２０が、底側を入口主通路１１側にし、可動通路２ａの出口から交換可能に取り付けられる。ケーシング１０の左右一直線上に入口主通路１１，中間主通路１３および出口主通路１２が位置する。
【００２２】
ケーシング１０の外面から回動棒孔１５に連通して濾過手段交換孔１６が設けられる。即ち、回動棒孔１５の内円周面の円周方向において、入口主通路１１，中間主通路１３，出口主通路１２および副通路１４が開口する範囲を除いた範囲で、かつ、ケーシング本体１０の外面に最も近い範囲（図示ではケーシング本体１０の上面と下面）である。そして、この孔を開閉する交換蓋８，８が上流側に対しケーシング１０の上面に、下流側に対しケーシング１０の下面に設けられる。１０ｄは脚であり、下流側の有底濾過筒２０を下側から交換できる空間を確保するためのものである。
【００２３】
以下に作動状態を説明する。図２ａは通常の生産運転状態を示す。流体は上流側濾過機の入口主通路１１に入り、弁７を経て、回動棒２の可動通路２ａの入口に入り、濾過手段２０により濾過され、可動通路出口より流出する。次いで、中間主通路１３の弁７を通り、下流側濾過機の可動通路入口より濾過手段２０を通過し、さらに濾過されて出口主通路１２を経て出て行く。ここで、上流側濾過手段の濾過精度（スクリーンの網目の開口度）が下流側濾過手段の濾過精度と同等又はそれ以上の場合は、流体中の不純物のほとんどは上流側濾過手段により除去され、下流側濾過手段には負荷はほとんどかからない。
【００２４】
そして、上流側濾過機の濾過手段が目詰まりを起こすと、弁７は図２ｂの状態にハンドル７ｄで切り換えられる。流体は弁より副通路１４を通り、弁７と中間主通路１３を経て下流側濾過機に入り、濾過手段２０により濾過される。上流側回動棒２はハンドル６ｄによって、図２ａから９０度回動して図２ｂのようになる。この場合、回動棒２の壁によって上流側濾過機の可動通路２ａへの流体の進入が遮断される。同時に出口側よりの進入も遮断される。
【００２５】
次に、交換蓋８を取り外して、濾過手段２０を容易に機外に取り出し、スクリーンの交換が可能となる。なお、副通路１４に入った流体は不純物を含んではいるが、下流側濾過機の濾過手段で濾過されているので、製品に悪影響を及ぼすことはない。交換が終われば、弁７は図２ａの状態に戻す。
【００２６】
図２ｃは下流側濾過機の濾過手段を交換する状況を示す。上流側の濾過機により濾過された流体は下流側の弁７の９０度回動により、下流側濾過機の濾過手段２０を通らずに副通路１４を経て出口主通路１２から出て行く。下流側の回動棒２は図２ｂの位置から９０度回動される。次に、蓋８を外して濾過手段２０を容易に機外に取り出し、新しいスクリーンと交換することができる。この場合も流体は濾過手段内に進入することはない。
【００２７】
以上のように、上流側のスクリーンを交換するときは流体の不純物は下流側の濾過手段で濾過され、また、下流側のスクリーン交換の際は上流側の濾過手段で濾過される。このように、常に流体の流れを中断する事なく生産運転ができる。さらに本発明の場合には分流点も、合流点もなく、それらにより引き起こされるであろう諸問題の発生はない。また、上流側，下流側共に主通路よりも副通路の流路抵抗を少なく設計しておけば、主通路より副通路に流れが切り換わった場合でも圧力上昇は起こらない。
【００２８】
ここで、主通路とはケーシング本体１０に設けられ、回動棒２内のスクリーン筒２０の外側よりスクリーンを経て内側に入り、可動通路２ａ出口を経て次の行程に至る流体の通路を言う。
【００２９】
次に、図５に示すものは、主通路より副通路への流れの切り替えについて、切換弁７と副通路１４とを用いない実施例である。回動棒２内に可動通路（主通路）２ａと位相をずらして副通路が設けられる。主通路より副通路への切り換え時に流れが中断しないよう、補助通路が設けられる。そして、副通路に流体が流れている間に濾過手段の交換が実施される。
【００３０】
即ち、補助通路２ｃの溝は、可動通路２ａの入口から円周方向で僅かな角度Ａの位置から、可動通路２ａの中心軸線に対し、円周方向９０度の位置（直交位置）まで延びる。副通路２ｂは、溝の形で前記直交位置から軸方向に可動通路２ａの直径より大なる距離Ｂだけ延びた位置（偏位置）まで続く。また、そこから孔の形で直径上を貫通し、そこから溝の形で軸方向に距離Ｂだけ離れた前記直交位置まで続く。そこから補助通路２ｃの溝が、可動通路の出口に至る手前の僅かな角度Ａまで延びる。
【００３１】
図６は、前記図５の孔の形で直径上を貫通した副通路２ｂに代えて、溝の形で円周方向１８０度の範囲に延びたものである。ここで、可動通路２ａの入口、出口から補助通路２ｃまでの距離（角度Ａ）が短いと、流れは中断しない。
【００３２】
図５，６で通常の生産運転状態において、流体は回動棒２の可動通路２ａの入口に入り、濾過手段２０により濾過され、可動通路出口より流出する。濾過手段２０を交換するときは、回動棒２を角度Ａまで素早く回動させると、流体は補助通路２ｃに入り流れが中断しない。続いて９０度まで回動させると、副通路２ｂが主通路１１，１２，１３に一致する。このように、流体が副通路２ｂを流れている間に交換作業が実施される。
【００３３】
図７ａ，７ｂは摺動棒式の場合であり、前記回動棒孔に代えて、円筒形の摺動棒孔が設けられる。そして、これに円柱形の摺動棒３０が摺動自在に挿入され、摺動棒は可動通路３０ａを持つ。そして、多孔板３とスクリーン４からなる濾過手段が挿入される。摺動棒３０は図外の往復駆動手段により摺動され、スクリーン４の交換作業が実施される。
【００３４】
また、図７ｃに示すものは、主通路より副通路への流れの切り替えについて、切換弁７と副通路１４を用いない実施例である。そして、可動通路３０ａの中心軸線に対し、摺動棒の軸方向に次の関係を満足する距離だけ偏位（位相差を設けた）した位置に、補助通路溝３０ｃを経た副通路孔３０ｂが設けられる。
ｄ1（入口直径）＞ａ（入口から副通路までの距離），
ｄ2（出口直径）＞ｂ（出口から補助通路までの距離）。
【００３５】
この関係にあれば、流れは中断せず、主通路３０ａより副通路３０ｂに流路変更がスムースに行える。流体が副通路３０ｂを流れている間に、スクリーン４の交換作業が実施される。要するに流れを中断せず主通路より副通路に変換できる方法であれば、弁方式でも位相差式でも本発明の目的は達せられる。
【００３６】
図８は下流側濾過手段を固定式の濾過手段４０としたものである。即ち、ケーシング本体１０に固定通路を構成する定置穴を１９設け、そこに下流側濾過手段４０を着脱自在に定置する。ケーシング本体の上下面の一方（下面）から、鉛直軸線上に小径円筒孔１９ａ，第１段１９ｂを介した円錐孔１９ｃおよび、第２段１９ｄを介した大径円筒孔１９ｅが開けられる。
【００３７】
そして、第１段１９ｂに位置決めされてスクリーン円筒４１が同心に収容され、その先端部が交換蓋８の内面で位置決めされる。交換蓋は大径円筒孔１９ｅに嵌合されて第２段１９ｄに位置決めされる。中間主通路１３は円錐孔１９ｃに貫通し、出口主通路１２は小径円筒孔１９ａからケーシング端部に貫通する。副通路１４は交換蓋８を迂回して設けられる。
【００３８】
通常の生産運転状態において、流体は中間主通路１３から円錐孔１９ｃに入り、スクリーン円筒４１の内側に入って濾過され、出口主通路１２より流出する。交換時には流体は副通路１４を通って出口主通路１２より流出する。
【００３９】
図９ａ〜９ｉは前記の各部を組み合わせた実施態様の概略図である。
図９ａは前記図１〜４に相当する。
図９ｂは９ａにおいて、下流側濾過手段を図８の固定式に代えたものである。
図９ｃは９ａにおいて、上流側濾過手段，下流側濾過手段ともに図８の固定式に代えたものである。
図９ｄは９ａにおいて、下流側濾過手段に対する副通路と切換弁を省略したものである。図９ｅは９ｄにおいて、下流側濾過手段に対する副通路と切換弁を省略したものである。図９ｆは９ｃにおいて、下流側濾過手段に対する副通路と切換弁を省略したものである。図９ｇは９ａにおいて、上流側濾過手段の１組に代えて、流路入口直交方向に並列した２組の可動棒が設けられ、各組に対して副通路と三方切換弁が設けられる。
図９ｈは９ｇにおいて、下流側濾過手段を図８の固定式に代えたものである。
図９ｉは９ａにおいて、上流側副通路にも濾過手段を設けたものである。
【００４０】
図１０は上流側濾過手段，下流側濾過手段の間にギヤポンプ５０が介在したものである。即ち、ケーシング本体１０は、可動棒２が回動または摺動できるよう案内する可動棒孔を有する。前記可動棒孔に可動棒２が可動自在に挿入され、可動通路２ａを外円周面に貫通して持つ。可動棒２の２本が流路入口方向に並列する。該可動棒の各々の一端に可動駆動軸５が結合され、これに回動手段（図示省略）が接続される。前記可動通路２ａに濾過手段２０挿入される。
【００４１】
さてここでギヤポンプ５０が、前記可動棒孔１５，１５の隣り合う２個の孔の間でケーシング本体に、一体または別体に設けられる。ギヤポンプ５０において、ギヤケーシング５１の中に一対のギヤ５２，５２がかみ合い、ギヤ軸５３がギヤケーシングに支持される。その一端（後端）に駆動ギヤ５４が固定され、これに図外の駆動モータが接続される。そして、ギヤケーシング５１は、ケーシング本体１０のフランジ１０ｃとボルトにより着脱可能に結合されている。
【００４２】
外面から上流側可動通路に至る入口主通路１１は、前記ケーシング本体に設けられ、前記可動通路２ａに連通する。出口主通路１２は下流側可動通路２ａから外面に至る。中間主通路１３は、入口主通路と出口主通路との間に前記ギヤポンプ５０を介して連通する。前記可動通路２ａ，２ａに対し下側でバイパスとなるように、副通路１４，１４がケーシング本体に設けられる。
【００４３】
第１、第２三方切換弁７１，７２は各々、前記入口主通路１１と副通路１４との分岐点、および前記中間主通路１３の前記ギヤポンプ入口側と副通路１４との交差点に各々設けられる。第３三方切換弁７３は、前記中間主通路１３の前記ギヤポンプ出口側と副通路１４との分岐点に設けられる。
【００４４】
さてここで図１１のように、第１，第３三方弁７１，７３には外部排出路７１ｅが設けられ、濾過筒２０の逆洗が可能となる。即ち、弁本体７１ａはケーシング１０の前面まで延びて貫通する。そして、その前半部（ケーシング１０の前側）で外周に、軸方向に沿って溝７１ｅが設けられる。この溝は、弁口７１ｂが直径上を貫通する入口と出口の間から、前端まで続き、外部排出路７１ｅとなる。
【００４５】
これに対応して、弁本体７ａの前端面に対向した前カバー１０ａの部分には、外部排出路１８が設けられる。即ち、弁７１，７３の通常運転時及び濾過手段２０交換時の流路切換時において、各時にとる排出路７１ｅの位置に対応した位置に、外部排出路１８が設けられる。図示において、下側及び９０度右回りに偏位した位置に（図１１ａ，１１ｃ）、排出路１８，ネジ孔１８ａ，流量調整弁１８ｂが設けられる。
【００４６】
以下に作動状態を説明する。  図１２ａに示す通常の生産運転状態に置いて、流体は上流側濾過機の入口主通路１１に入り、第１弁７１を経て、回動棒２の可動通路２ａの入口に入り、濾過手段２０により濾過され、可動通路出口より流出する。次いで、中間主通路１３の第２弁７２を通り、ギヤポンプ５０を経て中間主通路１３の第３弁７３を通過する。そして、下流側濾過機の可動通路入口より濾過手段２０を通過し、さらに濾過されて出口主通路１２を経て出て行く。
【００４７】
そして、上流側濾過機の濾過手段が目詰まりを起こすと、第１弁７１は図１２ｂの状態に切り換えられる。流体はこの弁より副通路１４を通り、次いで、中間通路１３の第２弁７２を通り、ギヤポンプ５０を経て中間通路１３の第３弁７３を通過する。そして、下流側濾過機に入り、濾過手段により濾過される。
【００４８】
この時、第２弁７２を通った流体の一部は、上流側濾過機の出口から逆流して進入し、濾過手段２０の目詰まり部分の大部分を逆洗して入口から逆流する。そして、図１１ｃのように、第１弁７１の排出路７１ｅからケーシングの排出路１８、流量調整弁１８ｂを経て、ケーシング１０の外部に排出される。
【００４９】
その後、上流側回動棒２は図１２ｂより９０度回転して図１９ｃのようになる。この場合、回動棒の壁によって、第２弁７２を通った流体の上流側濾過機への進入を遮断する。同時に入口側よりの進入も遮断される。交換蓋８を取り外して、濾過手段２０を容易に機外に取り出し、スクリーンの交換が可能となる。交換が終われば、図１２ａの元の状態となる。
【００５０】
次に、下流側濾過機の濾過手段が目詰まりを起こすと、第３弁７３は図１２（ｄ）の状態に切り換えられる。流体はこの弁より副通路１４を通り、出口主通路１２から出て行く。このとき、第３弁７３を通った流体の一部は、下流側濾過機の出口から逆流して進入する。そして、濾過手段２０の目詰まり部分の大部分を逆洗して入口から逆流する。次いで、第３弁７３の排出路７３ｅからケーシングの排出路１８、流量調整弁１８ｂを経て、ケーシング１０の外部に排出される。
【００５１】
その後、下流側回動棒２は図１２ｄより９０度回転して図１２ｅのようになる。この場合、回動棒２の壁によって、出口側よりの流体の下流側濾過機への進入を遮断する。そして、交換蓋８を取り外して、濾過手段２０の交換が可能となる。
【００５２】
また、図１３は前記（図１０）において、ギヤポンプ５０にもバイパス通路が設けられたものである。即ち、副通路１４は、前記可動通路２ａに対しバイパスとなるようにケーシング本体に設けられる。第２副通路１４２は、前記ギヤポンプに対しバイパスとなるように、前記副通路１４に連通して設けられる。そして、第４、第５三方切換弁７４，７５は各々、前記入口主通路１１と副通路１４との分岐点、および前記中間主通路１３と副通路１４との交差点に設けられる。また、第６三方切換弁７６は、前記中間主通路１３の前記ギヤポンプ出口側と第２副通路１４２副通路との交差点に設けられる。
【００５３】
前記第４三方切換弁７４には、前記と同様に、流体をケーシング本体１０の外部に排出する排出路７４ｅが設けられ、該排出路に通じるよう前記ケーシング本体には、流体を外部に排出する排出路と流量調整弁（図示省略）が設けられる。
【００５４】
以下に作動状態を説明する。図１４ａに示す通常の生産運転状態に置いて、流体は上流側濾過機の入口主通路１１に入り、第４弁７４を経て、回動棒２の可動通路２ａの入口に入り、濾過手段２０により濾過され、可動通路出口より流出する。次いで、中間通路１３の第５弁７５を通り、ギヤポンプ５０を経て中間通路１３の第６弁７６を通過する。そして、下流側濾過機の可動通路入口より濾過手段２０を通過し、さらに濾過されて出口主通路１２を経て出て行く。
【００５５】
そして、上流側濾過機の濾過手段が目詰まりを起こすと、第４弁７４は図１４ｂの状態に切り換えられる。流体はこの弁より副通路１４を通り、次いで、中間通路１３の第５弁７５を通り、ギヤポンプ５０を経て中間通路１３の第６弁７６を通過する。そして、下流側濾過機に入り、濾過手段により濾過される。
【００５６】
この時、第５弁７５を通った流体の一部は、上流側濾過機の出口から逆流して進入し、濾過手段２０の目詰まり部分の大部分を逆洗して入口から逆流する。次いで、第４弁７４の排出路７４ｅからケーシングの排出路１８、流量調整弁１８ｂを経て、ケーシングの外部に排出される。
【００５７】
その後、上流側回動棒２は図１４ｂより９０度回転して図１４ｃのようになる。この場合、回動棒２の壁によって、第５弁７５を通った流体の上流側濾過機への進入を遮断する。同時に入口側よりの進入も遮断される。交換蓋８を取り外して、濾過手段２０を容易に機外に取り出し、スクリーンの交換が可能となる。交換が終われば、図１４ａの元の状態となる。下流側濾過機を交換するときは流体流動を停止する。
【００５８】
次に、図１４ｄに示すものは、ギヤポンプ５０を停止して点検するときに、第５弁７５と第６弁７６を切り換えたものである。流体は入口主通路１１から上流側濾過機に入って通過し、第５弁７５に至る。そして、流体は副通路１４の一部と第２副通路１４２を通り、第６弁７６に至る。そこから下流側濾過機の可動通路２ａに入り、濾過手段２０を通過し、出口主通路１２から出て行く。
【００５９】
ここで逆洗は、ギヤポンプのない前記のものにも適用されてもよい。そして、弁７の排出路７ｅからケーシングの排出路１８、流量調整弁１８ｂを経て、ケーシングの外部に流体は排出される。
【００６０】
本発明は前記した実施例や実施態様に限定されず、特許請求の範囲および範囲を逸脱せずに種々の変形を含む。
【産業上の利用可能性】
【００６１】
本発明は、溶融プラスチックなどの流体用スクリーンチェンジャに利用される。
【図面の簡単な説明】
【００６２】
【図１ａ】本発明の一実施例の正面図である。
【図１ｂ】図１ａの平面図である。
【図１ｃ】図１ａの右側面図である。
【図２ａ】図１ｂのＹ２−Ｙ２断面図である。
【図２ｂ】図２ａの作動説明図である。
【図２ｃ】図２ａの作動説明図である。
【図３ａ】図２ａのＹ３ａ−Ｙ３ａ断面図である。
【図３ｂ】図２ａのＹ３ｂ−Ｙ３ｂ断面図である。
【図３ｃ】図２ａのＹ３ｃ−Ｙ３ｃ断面図である。
【図３ｄ】図２ａのＹ３ｄ−Ｙ３ｄ断面図である。
【図３ｅ】図２ａのＹ３ｅ−Ｙ３ｅ断面図である。
【図４】図２ａの部分拡大図である。
【図５ａ】回動棒の他の実施例の縦断面図である。
【図５ｂ】回動棒の他の実施例の正面図である。
【図５ｃ】回動棒の他の実施例の展開図である。
【図６ａ】回動棒の更に他の実施例の縦断面図である。
【図６ｂ】回動棒の更に他の実施例の正面図である。
【図６ｃ】回動棒の更に他の実施例の展開図である。
【図７ａ】摺動棒の実施例の縦断面図である。
【図７ｂ】摺動棒の実施例の横断面図である。
【図７ｃ】摺動棒の他の実施例の横断面図である。
【図８】固定式濾過機の縦断面図である。
【図９ａ】図９ａ〜９ｉは前記の各部を組み合わせた実施態様の概略図であり、図９ａは前記図１〜４に相当する。
【図９ｂ】図９ａにおいて、下流側濾過手段を図８の固定式に代えたものである。
【図９ｃ】図９ａにおいて、上流側濾過手段，下流側濾過手段ともに図８の固定式に代えたものである。
【図９ｄ】図９ａにおいて、下流側濾過手段に対する副通路と切換弁を省略したものである。
【図９ｅ】図９ｄにおいて、下流側濾過手段に対する副通路と切換弁を省略したものである。
【図９ｆ】図９ｃにおいて、下流側濾過手段に対する副通路と切換弁を省略したものである。
【図９ｇ】図９ａにおいて、上流側濾過手段の１組に代えて、流路入口直交方向に並列した２組の可動棒が設けられ、各組に対して副通路と三方切換弁が設けられる。
【図９ｈ】図９ｇにおいて、下流側濾過手段を図８の固定式に代えたものである。
【図９ｉ】図９ａにおいて、上流側副通路にも濾過手段を設けたものである。
【図１０ａ】本発明の他の実施例（ギヤポンプ付き）の縦断面図である。
【図１０ｂ】図１０ａのＹ１０ｂ−Ｙ１０ｂ断面図である。
【図１０ｃ】図１０ａのＹ１０ｃ−Ｙ１０ｃ断面図である。
【図１１ａ】図１０ａ要部拡大図である。
【図１１ｂ】図１０ａのＸ１１ｂ−Ｘ１１ｂ断面図である。
【図１１ｃ】図１１ａの作動説明図である。
【図１２ａ】図１０ａの作動説明図である。
【図１２ｂ】図１０ａの作動説明図である。
【図１２ｃ】図１０ａの作動説明図である。
【図１２ｄ】図１０ａの作動説明図である。
【図１２ｅ】図１０ａの作動説明図である。
【図１３】本発明の実施例（ギヤポンプ付）の更に他の実施例の縦断面図である。
【図１４ａ】図１３の作動説明図である。
【図１４ｂ】図１３の作動説明図である。
【図１４ｃ】図１３の作動説明図である。
【図１４ｄ】図１３の作動説明図である。
【符号の説明】
【００６３】
１０  ケーシング本体
１１  入口主通路
１２  出口主通路
１３  中間主通路
１４  副通路
１５  可動棒孔
１６  交換孔  
１７  弁挿入穴
１０ａ，１０ｂ  カバー、  １０ｃ  フランジ
２  回動棒
２ａ  可動通路、  ２ｂ  副通路、  ２ｃ  補助通路
３  多孔板
４  スクリーン
５  可動駆動軸
６  回動手段
７  三方切換弁
８  交換蓋
２０  有底濾過筒
２１  補強多孔筒
２２  スクリーン
２３  底部材
２４  案内部材
２５  フランジ部材
３０  摺動棒
４０  固定式濾過手段
【図１ａ】
2009119422.tif 000003
【図１ｂ】
2009119422.tif 000004
【図１ｃ】
2009119422.tif 000005
【図２ａ】
2009119422.tif 000006
【図２ｂ】
2009119422.tif 000007
【図２ｃ】
2009119422.tif 000008
【図３ａ】
2009119422.tif 000009
【図３ｂ】
2009119422.tif 000010
【図３ｃ】
2009119422.tif 000011
【図３ｄ】
2009119422.tif 000012
【図３ｅ】
2009119422.tif 000013
【図４】
2009119422.tif 000014
【図５ａ】
2009119422.tif 000015
【図５ｂ】
2009119422.tif 000016
【図５ｃ】
2009119422.tif 000017
【図６ａ】
2009119422.tif 000018
【図６ｂ】
2009119422.tif 000019
【図６ｃ】
2009119422.tif 000020
【図７ａ】
2009119422.tif 000021
【図７ｂ】
2009119422.tif 000022
【図７ｃ】
2009119422.tif 000023
【図８】
2009119422.tif 000024
【図９ａ】
2009119422.tif 000025
【図９ｂ】
2009119422.tif 000026
【図９ｃ】
2009119422.tif 000027
【図９ｄ】
2009119422.tif 000028
【図９ｅ】
2009119422.tif 000029
【図９ｆ】
2009119422.tif 000030
【図９ｇ】
2009119422.tif 000031
【図９ｈ】
2009119422.tif 000032
【図９ｉ】
2009119422.tif 000033
【図１０ａ】
2009119422.tif 000034
【図１０ｂ】
2009119422.tif 000035
【図１０ｃ】
2009119422.tif 000036
【図１１ａ】
2009119422.tif 000037
【図１１ｂ】
2009119422.tif 000038
【図１１ｃ】
2009119422.tif 000039
【図１２ａ】
2009119422.tif 000040
【図１２ｂ】
2009119422.tif 000041
【図１２ｃ】
2009119422.tif 000042
【図１２ｄ】
2009119422.tif 000043
【図１２ｅ】
2009119422.tif 000044
【図１３】
2009119422.tif 000045
【図１４ａ】
2009119422.tif 000046
【図１４ｂ】
2009119422.tif 000047
【図１４ｃ】
2009119422.tif 000048
【図１４ｄ】
2009119422.tif 000049